(57)【要約】【課題】施工性の良い遮光フードを備えた照明器具を提供する。【解決手段】器具本体１０と、器具本体１０の出射面１１Ａ側端部の周囲を囲う遮光フード３０と、を備える照明器具１において、器具本体１０は、出射面１１Ａ側の端部に、当該器具本体１０の外周より径方向外側に突出する複数の突出部２６を備え、遮光フード３０は、突出部２６の各々に対応する位置に設けられた取付部３５を備え、取付部３５は、遮光フード３０の外周より径方向外側に延出し、且つ、突出部２６を出射面１１Ａ側及びその裏面１１Ｂ側から挟む断面Ｕ字形状に形成されると共に、折り曲げられて突出部２６の横方向への移動を規制する爪部３６を備えた。【選択図】図４
2018049789.tif 000002
【特許請求の範囲】
【請求項１】
器具本体と、前記器具本体の出射面側端部の周囲を囲う遮光フードと、を備える照明器具において、
前記器具本体は、前記出射面側の端部に、当該器具本体の外周より径方向外側に突出する複数の突出部を備え、
前記遮光フードは、前記突出部の各々に対応する位置に設けられた取付部を備え、
前記取付部は、前記遮光フードの外周より径方向外側に延出し、且つ、前記突出部を前記出射面側及びその裏面側から挟む断面Ｕ字形状に形成されると共に、折り曲げられて前記突出部の横方向への移動を規制する爪部を備えた
ことを特徴とする照明器具。
【請求項２】
前記遮光フードの取付側端部には、前記取付部に連続させて切欠部が設けられ、
前記遮光フードは、前記器具本体の前記突出部が前記切欠部に挿入されるように、前記器具本体の出射面側から被せられ、前記取付部の内側に前記突出部が位置するように前記器具本体の外周に沿ってスライドされ、前記切欠き部と、折り曲げられた前記爪部とで挟まれて、前記器具本体に取り付けられている
ことを特徴とする請求項１に記載の照明器具。
【請求項３】
前記遮光フードの取付側端部は、前記器具本体の前記出射面より後方に延びていることを特徴とする請求項１または２に記載の照明器具。
【請求項４】
前記遮光フードの内周面と、前記器具本体の外周面との間に隙間を設けたことを特徴とする請求項１乃至３のいずれかに記載の照明器具
【請求項５】
前記器具本体の出射開口は、パッキンを間に挟んで取り付けられた前面カバーで閉塞され、
前記前面カバーは、前記突出部に前記出射面の正面側からねじ止めされていることを特徴とする請求項１乃至４のいずれかに記載の照明器具。
【請求項６】
前記遮光フードの前記取付部は、前記突出部に前記裏面側からねじ止めされていることを特徴とする請求項１乃至５乃のいずれかに記載の照明器具。
【発明の詳細な説明】
【技術分野】
【０００１】
本発明は、照明器具に関する。
【背景技術】
【０００２】
従来、看板やサイン広告などを照明する所謂照明器具として用いられる照明器具が知られている。この種の照明器具において、所望の光を遮光する遮光フードが出射面側に取り付けられているものがある（例えば、特許文献１参照）。このような照明器具として用いられる照明器具では、遮光フードは照明器具の設置現場において後付けされるのが一般的であり、照明器具に遮光フードをねじ止めして固定している。
【先行技術文献】
【特許文献】
【０００３】
【特許文献１】特開２００３−６８１０７号公報
【発明の概要】
【発明が解決しようとする課題】
【０００４】
ところで、看板やサイン広告などを照明する照明器具は、高所で使用される事が多い。そのため、遮光フードを照明器具にねじで複数箇所締結して取り付ける方法では、施工性が悪く、遮光フードの施工性の向上が望まれていた。
【０００５】
本発明は、上述した事情に鑑みてなされたものであり、施工性の良い遮光フードを備えた照明器具を提供することを目的とする。
【課題を解決するための手段】
【０００６】
上記目的を達成するために、本発明は、器具本体と、前記器具本体の出射面側端部の周囲を囲う遮光フードと、を備える照明器具において、前記器具本体は、前記出射面側の端部に、当該器具本体の外周より径方向外側に突出する複数の突出部を備え、前記遮光フードは、前記突出部の各々に対応する位置に設けられた取付部を備え、前記取付部は、前記遮光フードの外周より径方向外側に延出し、且つ、前記突出部を前記出射面側及びその裏面側から挟む断面Ｕ字形状に形成されると共に、折り曲げられて前記突出部の横方向への移動を規制する爪部を備えたことを特徴とする。
【０００７】
また、上述の構成において、前記遮光フードの取付側端部には、前記取付部に連続させて切欠部が設けられ、前記遮光フードは、前記器具本体の前記突出部が前記切欠部に挿入されるように、前記器具本体の出射面側から被せられ、前記取付部の内側に前記突出部が位置するように前記器具本体の外周に沿ってスライドされ、前記切欠き部と、折り曲げられた前記爪部とで挟まれて、前記器具本体に取り付けられていることを特徴とする。
【０００８】
また、上述の構成において、前記遮光フードの取付側端部は、前記器具本体の前記出射面より後方に延びていることを特徴とする。
【０００９】
また、上述の構成において、前記遮光フードの内周面と、前記器具本体の外周面との間に隙間を設けたことを特徴とする。
【００１０】
また、上述の構成において、前記器具本体の出射開口は、パッキンを間に挟んで取り付けられた前面カバーで閉塞され、前記前面カバーは、前記突出部に前記出射面の正面側からねじ止めされていることを特徴とする。
【００１１】
また、上述の構成において、前記遮光フードの前記取付部は、前記突出部に前記裏面側からねじ止めされていることを特徴とする。
【発明の効果】
【００１２】
本発明によれば、器具本体の突出部を、遮光フードの取付部で発光面側及びその裏面側から挟み込み、爪部を折り曲げることで遮光フードを器具本体に取り付けることができ、遮光フードの施工性を向上することが出来る。
【図面の簡単な説明】
【００１３】
【図１】本発明の実施形態に係る照明器具を示す側面図である。
【図２】照明器具の正面図である。
【図３】照明器具を背面側から見た図である。
【図４】照明器具の分解斜視図である。
【図５】別の実施形態の照明器具を示す正面図である。
【図６】照明器具を示す正面図である。
【発明を実施するための形態】
【００１４】
以下、図面を参照して本発明の実施形態について説明する。
図１は本実施形態に係る照明器具１の側面図であり、図２は照明器具１の正面図、図３は照明器具１の背面図である。
照明器具１は、看板やサイン広告などの被照射面を投光照明する照明器具であり、図１〜図３に示すように、器具本体１０と、器具本体１０の出射面１１側の端部の周囲を囲むように設けられた遮光フード３０とを備えている。遮光フード３０は、器具本体１０の出射面１１から出射された光で所定角度の照射範囲のみを照射するために、適宜の範囲の光、例えば横方向へ広がる光、を遮光する。なお、照明器具１は、建物の屋外、及び屋内のいずれでも使用できるように構成されている。
【００１５】
器具本体１０は、正面視円形形状の筐体１３を有し、筐体１３は、例えば高熱伝導性を有し放熱性が高い材料から成形されている。この筐体１３の正面には円形の出射開口１４が設けられており、この出射開口１４から臨む筐体１３の底面に光源が配置されている。器具本体１０は、出射開口１４の全域から光を放射するように構成されている。器具本体１０の光源には高出力が得られ、かつランバート配光を有したＣＯＢ型ＬＥＤ（ＣＯＢ：Chip On Board）を好適に用いることができる。なお、光源には、ＣＯＢ型ＬＥＤの他にも、各種のＬＥＤや有機ＥＬ等の１又は複数の発光素子を用いることができる。これらの他にも、光源には、ＬＥＤランプや有機ＥＬランプ、反射鏡付ＨＩＤランプ等の１又は複数のランプ型光源を用いることができる。
【００１６】
筐体１３の背面１３Ａには、多数の放熱フィン２２を有した放熱体２４が密着状態で固定されており、光源の発熱が放熱体２４に伝導し、放熱体２４から外気に放熱されるように構成されている。
【００１７】
また、筐体１３の背面１３Ａ側には、連結部１２が設けられている。連結部１２は、器具本体１０を回転自在にアームなどの固定部に固定する部品であり、回転固定具２９を備えている。連結部１２は、回転固定具２９によって器具本体１０を固定部に対して回転自在に軸支すると共に、回転不能に固定することができるように構成されている。
【００１８】
また、筐体１３には、出射開口１４を覆って閉塞する前面カバー２０が取り付けられている。前面カバー２０は、光透過性を有するカバーガラス２０Ａと、カバーガラス２０Ａの周縁を囲む枠状に形成された枠体２０Ｂとを備えている。カバーガラス２０Ａと枠体２０Ｂは、例えば一体成型により一体化されている。なお、器具本体１０の出射面１１は、筐体１３の出射開口１４と、この出射開口１４を覆うカバーガラス２０Ａとによって構成されている。
筐体１３の出射面１１側の端部には、出射開口１４の外径方向に張り出すフランジ部１５が設けられている。フランジ部１５と、前面カバー２０と、は正面視で互いの外輪郭を合わせた形状に形成されている。
【００１９】
図示は省略するが、前面カバー２０は、フランジ部１５との間に防水パッキンを挟んでフランジ部１５に、出射面１１の正面側からねじ止めされている。
フランジ部１５、及び前面カバー２０には、互いに対応する位置に、器具本体１０の外周縁１０Ａより径方向外側に突出する複数の突出部２６が設けられている。本実施形態では、器具本体１０は、器具本体１０の周方向に互いに等間隔で設けられた４つの突出部２６を備えている。突出部２６には、フランジ部１５に、前面カバー２０をねじ止めするためのねじ穴が設けられている。前面カバー２０は、この突出部２６にもうけられたねじ穴に出射面１１の正面側から螺入されたねじ３によってフランジ部１５に固定されている。このように、器具本体１０の前面カバー２０とフランジ部１５とは、器具本体１０の外周縁１０Ａより径方向外側に突出する突出部２６で互いに固定されている。これにより、前面カバー２０の固定部位が出射面１１から出射される光に影響を与えることが無い。また、フランジ部１５が大きくなるのを防ぐことができ、器具本体１０の小型化や軽量化を図ることができる。
【００２０】
遮光フード３０は、器具本体１０の外形形状に対応する形状に形成され、本実施形態では、円形のフランジ部１５よりも径の大きい円形状に形成されている。遮光フード３０は、器具本体１０に出射面１１側から被せられて、器具本体１０の出射面１１側端部の周囲を囲うように取り付けられる。また、遮光フード３０は、器具本体１０への取付側端部３１が、フランジ部１５の高さ方向に延び、フランジ部１５の周囲を囲うように構成されているのが望ましい。つまり、遮光フード３０の取付側端部３１は、器具本体１０の出射面１１より後方に延び、出射面１１から出射した光が器具本体１０の後方へ光が漏れるのを防ぐことができる。
【００２１】
また、遮光フード３０は、器具本体１０のフランジ部１５よりも径が大きく形成され、器具本体１０に取り付けられた際には、遮光フード３０の内周面３２と、器具本体１０のフランジ部１５の外周面１５Ａとの間には、隙間Ｇが設けられる。照明器具１は、被照射面との位置関係により任意の取付角度、任意の取付方向でも取り付けることができるように構成されている。このように、遮光フード３０の内周面３２と、器具本体１０のフランジ部１５の外周面１５Ａとの間に隙間Ｇを設けることで、照明器具１の取付角度や取付方向に関わらず、遮光フード３０と器具本体１０とによって囲まれた領域に雨水等の水がたまりにくい構成とすることができる。
【００２２】
遮光フード３０の内周面３２と、器具本体１０のフランジ部１５の外周面１５Ａとの間の隙間Ｇは、隙間Ｇから器具本体１０の後方へ漏れる光が最小限で押さえられ、雨水などの水を排水することができる適宜の寸法（数ミリ）とすることができる。
遮光フード３０の取付側端部３１には、遮光フード３０を器具本体１０に被せて取り付ける際に、器具本体１０の突出部２６を逃げる切欠部３３が、突出部２６に対応する位置に設けられている。切欠部３３は、少なくとも突出部２６を周方向に横並びに２つ並べた大きさに形成され、並び方向の幅Ｗ１の一方の端部３３Ａは、遮光フード３０を器具本体１０に被せる際に突出部２６が挿入される挿入部３４として機能する。また、切欠部３３は周方向の他方の端部３３Ｂには、遮光フード３０を器具本体１０に取り付けるための取付部３５が設けられている。このように、切欠部３３は、突出部２６が挿入される挿入部３４と、遮光フード３０を器具本体１０に取り付けるための取付部３５とを連続させて設けられている。
【００２３】
取付部３５は、切欠部３３の上縁４０Ａから、遮光フード３０の径方向外側に延出する板状部材を断面Ｕ字形状折り曲げて形成されている。取付部３５の板幅Ｗ２は、少なくとも、取付部３５の内側に突出部２６を位置させて、固定することができように構成されている。取付部３５は、この断面Ｕ字形状の板状部材で、器具本体１０の突出部２６を出射面１１Ａ側およびその裏面１１Ｂ側から挟む形状に形成されている。
【００２４】
図４に示すように、遮光フード３０を器具本体１０に取り付ける際には、器具本体１０の突出部２６が夫々、遮光フード３０の切欠部３３に挿入部３４から挿入されるように、遮光フード３０を器具本体１０の出射面１１Ａ側から被せる。そして、遮光フード３０を、切欠部３３の一方の端部３３Ａ側から他方の端部３３Ｂ側に突出部２６を案内するように、器具本体１０の外周に沿ってスライド（回転）させる。取付部３５は、突出部２６が切欠部３３の他方の端部３３Ｂの側縁４０Ｂに当接するまで遮光フード３０を器具本体１０に対して回転させることで、取付部３５のＵ字の内側に突出部２６が位置するように構成されている。遮光フード３０は、上述したように、取付部３５によって、器具本体１０の突出部２６を出射面１１Ａ側およびその裏面１１Ｂ側から挟むように構成されている。このため、突出部２６を取付部３５のＵ字の内側に位置させることで、遮光フード３０の光軸に沿った上下方向への動きが規制される。
【００２５】
取付部３５は、遮光フード３０と別体に形成され、遮光フード３０にスポット溶接等で固定されている構成であっても良い。また、取付部３５は、遮光フード３０に一体に形成された板状部を折り曲げて形成されている構成であっても良い。
【００２６】
また、取付部３５には、折り曲げ可能に形成された爪部３６が設けられている。爪部３６は、遮光フード３０を器具本体１０に被せ、突出部２６を取付部３５のＵ字の内側に位置させた後に特殊な工具などを使うことなく容易に折り曲げ可能に構成されている。爪部３６は、取付部３５のＵ字の内側に突出部２６が出入りする側の取付部３５の端縁に設けられている。
爪部３６は、取付部３５の内側に突出部２６が位置している状態で、遮光フード３０の内径方向に向かって折り曲げられる。これにより、突出部２６は、切欠部３３の他方の端部３３Ｂの側縁４０Ｂと、爪部３６との間に挟まれる。このように、器具本体１０の突出部２６を切欠部３３の側縁４０Ｂと、取付部３５の爪部３６との間に挟むことで、遮光フード３０のスライド方向（回転方向）への移動が規制される。
【００２７】
上述したように、遮光フード３０は、取付部３５のＵ字の内側に器具本体１０の突出部２６が位置され、取付部３５で、突出部２６を出射面１１Ａ側及びその裏面１１Ｂ側から挟み込むことで、器具本体１０の軸方向への動きが規制される。さらに、遮光フード３０は、切欠部３３の側縁４０Ｂと、取付部３５の爪部３６との間に器具本体１０の突出部２６を挟むことでスライド方向（回転方向）への移動が規制される。
【００２８】
さらに、遮光フード３０の取付部３５は、突出部２６の裏面１１Ｂ側から、突出部２６にねじ止めして固定することができるように構成されている。つまり、突出部２６には、出射面１１Ａ側から前面カバー２０がねじ止めされると共に、裏面１１Ｂ側から遮光フード３０の取付部３５がねじ止めされる。
このように、遮光フード３０の取付部３５を、器具本体１０の突出部２６に裏面１１Ｂ側からねじ止めして固定するため、遮光フード３０の器具本体１０に対するがたつきを防ぐことができる。
【００２９】
上述したように、遮光フード３０と、器具本体１０とのねじ止めは、主にがたつき防止のためである。そして、遮光フード３０は、器具本体１０に、取付部３５のＵ字の内側に突出部２６を位置させると共に、切欠部３３の側縁４０Ｂと爪部３６との間で突出部２６を挟むことで取り付けられる。これにより、たとえ、遮光フード３０と、器具本体１０とに螺入されたねじが振動等の要因により外れても、遮光フード３０が落下することが無く、ねじによる固定と、取付部３５による固定との２重の落下防止対策を図ることができる。
また、遮光フード３０の取付部３５は、器具本体１０の前面カバー２０が出射面１１Ａ側からねじ止めされる突出部２６の裏面１１Ｂ側からねじ止めされる。これにより、遮光フード３０を、照明器具１の設置現場でも容易にねじ止めすることができる。
【００３０】
以上説明したように、本実施形態では、器具本体１０と、器具本体１０の出射面１１Ａ側端部の周囲を囲う遮光フード３０と、を備える照明器具１において、器具本体１０は、出射面１１Ａ側の端部に、当該器具本体１０の外周より径方向外側に突出する複数の突出部２６を備え、遮光フード３０は、突出部２６の各々に対応する位置に設けられた取付部３５を備え、取付部３５は、遮光フード３０の外周より径方向外側に延出し、且つ、突出部２６を出射面１１Ａ側及びその裏面１１Ｂ側から挟む断面Ｕ字形状に形成されると共に、折り曲げられて突出部２６の横方向への移動を規制する爪部３６を備えた。
【００３１】
この構成によれば、遮光フード３０は、取付部３５によって、器具本体１０の突出部２６を出射面１１Ａ側及びその裏面１１Ｂ側から挟むことで光軸に沿った上下方向への移動が規制されるとともに、爪部３６によって横方向への移動が規制される。これにより、高所に取り付けられた器具本体１０に設置現場で遮光フード３０を取り付ける際にも、簡単に遮光フード３０を器具本体１０に取り付けることができる。よって、施工性の良い遮光フードを備えた照明器具１を提供することができる。
【００３２】
また本実施形態では、遮光フード３０の取付側端部３１には、取付部３５に連続させて切欠部３３が設けられ、遮光フード３０は、器具本体１０の突出部２６が切欠部３３に挿入されるように、器具本体１０の出射面１１Ａ側から被せられ、取付部３５の内側に突出部２６が位置するように器具本体１０の外周に沿ってスライドされ、切欠部３３と、折り曲げられた爪部３６とで挟まれて、器具本体１０に取り付けられている。
【００３３】
この構成によれば、遮光フード３０を器具本体１０に被せて、回転させて、爪部３６を折り曲げるという簡単な作業で、器具本体１０に遮光フード３０を取り付けることができる。よって、高所に取り付けられた器具本体１０に設置現場で遮光フード３０を取り付ける際にも、簡単に遮光フード３０を器具本体１０に取り付けることができ、施工性の良い遮光フードを備えた照明器具１を提供することができる。
【００３４】
また本実施形態では、遮光フード３０の取付側端部３１は、器具本体１０の出射面１１Ａより後方に延びている。
この構成によれば、出射面１１の後方への光漏れを最大延にカットすることができる。
【００３５】
また本実施形態では、遮光フード３０の内周面３２と、器具本体１０の外周面１５Ａとの間に隙間Ｇを設けた。
この構成によれば、器具本体１０の取付方向に関わらず、遮光フード３０と器具本体１０との間に雨水などの水が溜まるのを防ぐことができる。
【００３６】
また本実施形態では、器具本体１０の出射開口１４は、パッキンを間に挟んで取り付けられた前面カバー２０で閉塞され、前面カバー２０は、突出部２６に出射面１１Ａの正面側からねじ止めされている。
この構成によれば、器具本体１０の出射開口１４は、パッキンを間に挟んで取り付けられた前面カバー２０で閉塞されているため、器具本体１０を防水構造とすることができる。また、前面カバー２０をねじ止めするための突出部２６を用いて遮光フード３０を取り付けることができる。
【００３７】
また本実施形態では、遮光フード３０の取付部３５は、突出部２６に裏面１１Ｂ側からねじ止めされている。
この構成によれば、遮光フード３０を出射面１１Ａから出射される光に影響を与える事無くねじ止めすることができる。
【００３８】
＜別の実施形態＞
なお、上述した実施形態では、正面視円形形状の器具本体１０および遮光フード３０を備えた照明器具１について説明したが、照明器具１の形状は正面視円形状に限られるものではない。図５及び図６は、別の実施形態の照明器具１００を示す図であり、図５は、器具本体１１０に遮光フード１３０を取り付けている途中の状態を示す図であり、図６は、器具本体１１０に遮光フード１３０が取り付けられている状態を示す図である。
例えば、図５、図６に示すように、本発明は、正面視矩形形状の器具本体１１０および遮光フード１３０を備えた照明器具１００に適用することもできる。なお、この別の実施形態において、上述した実施形態と同様の構成については図中に同一の符号を付し、その説明を省略する。
【００３９】
照明器具１００の器具本体１１０には、上述した実施形態と同様に、複数の突出部２６が対向する側面の各々から外周の外側に突出するように設けられている。遮光フード１３０には、器具本体１１０の突出部２６に対応する位置に、取付部３５及び取付部３５に連続させて形成された切欠部３３を備えている。
【００４０】
器具本体１１０に遮光フード１３０を取り付ける際には、まず遮光フード１３０を、器具本体１１０の突出部２６が切欠部３３に挿入されるように、器具本体１１０の出射面１１Ａ側から被せる。そして、遮光フード１３０を、取付部３５の内側に突出部２６が位置するように器具本体１１０の外側面に沿ってスライドさせる。次に、爪部３６を折り曲げて、突出部２６を、切欠部３３と、折り曲げられた爪部３６とで挟む。これにより、遮光フード１３０の器具本体１１０に対する上下方向、及び横方向の動きが規制されて、遮光フード１３０が器具本体１１０に取り付けられる。また、遮光フード１３０の取付部３５は、器具本体１１０の突出部２６に、出射面１１Ａの裏面１１Ｂ側からねじ止めされる。
【００４１】
このように、照明器具１，１００の外形形状に関わらず、簡単に遮光フード３０，１３０を器具本体１０，１１０に取り付けることができ、施工性の良い遮光フード３０,１３０を備えた照明器具１，１００を提供することができる。
【００４２】
なお、上述した実施形態は、あくまでも本発明の態様の例示であり、本発明の要旨の範囲において任意に変形、及び応用が可能である。
【符号の説明】
【００４３】
１、１００  照明器具
１０、１１０  器具本体
１１  出射面
１１Ａ  出射面
１１Ｂ  裏面
１４  出射開口
２０  前面カバー
２６  突出部
３０、１３０  遮光フード
３１  取付側端部
３３  切欠部
３５  取付部
３６  爪部
Ｇ  隙間
【図１】
2018049789.tif 000003
【図２】
2018049789.tif 000004
【図３】
2018049789.tif 000005
【図４】
2018049789.tif 000006
【図５】
2018049789.tif 000007
【図６】
2018049789.tif 000008